(57)【特許請求の範囲】
【請求項１】
表面側基材および裏面側基材を有するラベル基材を有し、
この表面側基材の表面側印字領域およびこの裏面側基材の裏面側印字領域にそれぞれ印字可能とするとともに、
このラベル基材を被貼付け体に貼り付け可能とする両面印字用ラベルであって、
前記ラベル基材は、前記表面側基材の裏面側に粘着剤層を形成するとともに、この粘着剤層に対向して前記裏面側基材の表面側に剥離剤層を形成し、
前記表面側基材には、前記表面側基材の表面側周縁部に位置して前記表面側基材をその表面側中心領域と表面側周縁領域とに画成する表面側切取り線を形成し、
前記裏面側基材には、前記裏面側基材の裏面側周縁部に位置して前記裏面側基材をその裏面側中心領域と裏面側周縁領域とに画成する裏面側切取り線を形成し、
前記表面側切取り線は、前記裏面側切取り線に対して、前記ラベル基材の表裏面においてわずかに外周側に位置し、前記裏面側切取り線に沿って前記裏面側基材の前記裏面側周縁領域を前記裏面側中心領域から除去して、前記表面側基材における前記粘着剤層を露出可能とし、
前記裏面側基材の前記裏面側中心領域を前記被貼付け体に向けて前記ラベル基材を前記被貼付け体に貼り付け可能としていることを特徴とする両面印字用ラベル。
【請求項２】
前記表面側切取り線は、前記表面側基材の前記表面側周縁部を周回してこれを形成していることを特徴とする請求項１記載の両面印字用ラベル。
【請求項３】
前記裏面側切取り線は、前記裏面側基材の前記裏面側周縁部を周回してこれを形成していることを特徴とする請求項１ないし２のいずれかに記載の両面印字用ラベル。
【請求項４】
前記表面側基材の前記表面側中心領域には、前記被貼付け体に関する表示用の表示情報を印字可能としていることを特徴とする請求項１ないし３のいずれかに記載の両面印字用ラベル。
【請求項５】
前記裏面側基材の前記裏面側中心領域には、前記被貼付け体に関する隠蔽用の隠蔽情報を印字可能としていることを特徴とする請求項１ないし４のいずれかに記載の両面印字用ラベル。
【請求項６】
前記裏面側基材の前記裏面側中心領域の反対側の内方側中心領域には、前記裏面側中心領域の印字内容の位置を明示する案内情報を表示可能としていることを特徴とする請求項１ないし５のいずれかに記載の両面印字用ラベル。
【請求項７】
前記表面側基材の前記表面側中心領域には、第１の印字領域、第２の印字領域および第３の印字領域を第１の切取り線および第２の切取り線を介して画成し、
前記第１の印字領域および前記第３の印字領域の裏面側には前記粘着剤層を形成しているとともに、前記第１の印字領域および前記第３の印字領域に対向する前記裏面側基材の前記表面側に前記剥離剤層を形成し、
前記第２の印字領域には前記粘着剤層を形成していないことを特徴とする請求項１ないし６のいずれかに記載の両面印字用ラベル。
【請求項８】
前記第２の印字領域に対向する前記裏面側基材の前記表面側には前記剥離剤層を形成していないことを特徴とする請求項７記載の両面印字用ラベル。
【請求項９】
前記第１の印字領域、前記第２の印字領域および前記第３の印字領域には、前記被貼付け体に関する情報を印字可能とし、
前記第２の印字領域は、前記ラベル基材を前記被貼付け体に貼り付けてある状態において、前記第１の印字領域および前記第３の印字領域からこれを分離可能としてあることを特徴とする請求項７記載の両面印字用ラベル。
【請求項１０】
前記裏面側基材の前記裏面側中心領域の反対側の内方側中心領域には、前記裏面側中心領域の印字内容の位置を明示する案内情報を表示可能としているとともに、
前記第２の印字領域は、この案内情報を被覆可能であることを特徴とする請求項７記載の両面印字用ラベル。
【請求項１１】
前記ラベル基材を前記被貼付け体に貼り付けてある状態において、前記裏面側基材の前記裏面側中心領域は、前記表面側基材とともに前記被貼付け体から引きはがし可能であることを特徴とする請求項１ないし１０のいずれかに記載の両面印字用ラベル。
【請求項１２】
表面側基材および裏面側基材を有するラベル基材を有し、
この表面側基材の表面側印字領域およびこの裏面側基材の裏面側印字領域にそれぞれ印字可能とするとともに、
このラベル基材を被貼付け体に貼り付け可能とする両面印字用ラベルの貼付け方法であって、
前記ラベル基材は、
前記表面側基材の裏面側に粘着剤層を形成してあるとともに、この粘着剤層に対向して前記裏面側基材の表面側に剥離剤層を形成してあり、
前記表面側基材に前記表面側基材の表面側周縁部に位置して前記表面側基材をその表面側中心領域と表面側周縁領域とに画成する表面側切取り線を形成してあり、
前記裏面側基材に前記裏面側基材の裏面側周縁部に位置して前記裏面側基材をその裏面側中心領域と裏面側周縁領域とに画成する裏面側切取り線を形成してあり、
前記表面側切取り線は、前記裏面側切取り線に対して、前記ラベル基材の表裏面においてわずかに外周側に位置し、前記裏面側切取り線に沿って前記裏面側基材の前記裏面側周縁領域を前記裏面側中心領域から除去して、前記表面側基材における前記粘着剤層を露出可能とし、
前記裏面側基材の前記裏面側中心領域を前記被貼付け体に向けて前記ラベル基材を前記被貼付け体に貼り付けることを特徴とする両面印字用ラベルの貼付け方法。
【請求項１３】
前記被貼付け体に向けて貼り付けた前記ラベル基材の前記裏面側中心領域は、前記表面側中心領域により隠蔽されているとともに、前記表面側中心領域とともに前記被貼付け体から引きはがし可能としていることを特徴とする請求項１２記載の両面印字用ラベルの貼付け方法。
【発明の詳細な説明】
【技術分野】
【０００１】
本発明は両面印字用ラベルおよびその貼付け方法にかかるもので、とくに配送伝票その他各種の用途に利用可能な両面印字用ラベルおよびその貼付け方法に関するものである。
【背景技術】
【０００２】
従来から、ラベル基材の裏面に糊（粘着剤）を塗布し、さらに剥離剤付きの台紙（剥離紙）を仮着した構成のラベル材料は、実際の使用にあたって台紙が破棄されることから、コスト高であるとともに省資源の観点からは望ましいものではない。
したがって、台紙そのものを用いない台紙なしラベル材料、あるいは台紙を破棄することなく使用可能なラベル材料の開発が進められてきた。
【０００３】
図６は、従来からの、台紙を破棄することなく使用可能なラベル材料を両面印字可能な配送伝票１として利用する場合の一例を示すもので、図６（１）は、配送伝票１の平面図、図６（２）は、配送伝票１の裏面図である（特許文献１を参照）。
配送伝票１は、表面側のラベル基材２と、裏面側の台紙３と、を有する。
ラベル基材２および台紙３はそれぞれの表面に感熱発色剤を塗布してあり、熱発色方式の印字（サーマル印字）を可能として、ラベル基材２には送り先および送り主などの情報を印字可能とし、台紙３には、納品書（納品明細）として品名やその数量を印字可能としている。
【０００４】
なおラベル基材２の裏面側において、その三辺の縁部には粘着剤層４を形成するとともに、その一辺（図６（１）中、上辺）には粘着剤層４を形成せずに開口部５とし、その内方部に納品書収容部６（台紙収納部）を形成可能としている。
【０００５】
また台紙３には、その表面側に剥離剤層７を形成するとともに、その裏面側に配送伝票１の位置検出用マーク８をあらかじめ印刷してあって、この配送伝票１をサーマルプリンター（たとえば両面印字プリンター９、図７）などに挿通して印字する際の位置検出を可能としている。
さらに、配送伝票１は、これを単葉形態としてもよいし、切断用ミシン目２２（図７）などを介在して連続形態として帯状にこれを形成しておくこともできる。
【０００６】
図７は、配送伝票１の両面（ラベル基材２および台紙３）に所定の情報を印字するための両面印字プリンター９（たとえばサーマルプリンター）の概略側面図であって、両面印字プリンター９は、プリンターハウジング１０と、プリンターハウジング１０の上流側に設けた配送伝票１の供給部１１と、位置検出部１２と、第１の印字部１３および第２の印字部１４と、制御部１５と、を有する。
【０００７】
供給部１１は、配送伝票１をたとえばファンホールド式に収容して、プリンターハウジング１０の供給口１６からプリンターハウジング１０内に帯状に供給可能とする。
【０００８】
位置検出部１２は、配送伝票１の位置検出用マーク８を検出可能な、反射型あるいは透過型などの光学センサー１７を有している。
【０００９】
第１の印字部１３は、第１のサーマルヘッド１８および第１のプラテンローラ１９を有して、配送伝票１の表面側におけるラベル基材２に所定の情報（送り先、送り主その他）を印字可能とする。
第２の印字部１４は、第２のサーマルヘッド２０および第２のプラテンローラ２１を有して、配送伝票１の裏面側における台紙３に所定の情報（納品書その他）を印字可能とする。
なお、第１の印字部１３および第２の印字部１４による印字方式としては、上述のような配送伝票１を感熱発色タイプのサーマル紙として印字することもできるし、熱転写インクリボン（図示せず）を用いて印字するように構成することもできる。
【００１０】
制御部１５は、上述の位置検出部１２、第１の印字部１３および第２の印字部１４を制御する。
【００１１】
なお、印字ののち、連続状とした場合の各配送伝票１の間の折曲げ部位に位置する切断用ミシン目２２の部分を手により切断して単葉のラベル（配送伝票１）を得ることもできるし、図７中、仮想線で示すような切断刃を有する切断部２３を設け、機械的に切断して配送伝票１を発行ようにすることも可能である。
【００１２】
プリンターハウジング１０には、排出口２４を形成し、印字済みの配送伝票１を発行排出可能としている。
【００１３】
こうした構成の配送伝票１を配送品に貼り付ける場合には、まず両面印字プリンター９によりラベル基材２および台紙３に所定情報を印字する。
図８は、配送伝票１を配送品Ｐ（被貼付け体）に貼り付けた状態を示す要部斜視図であって、上記印字ののち、ラベル基材２から台紙３を剥離し、ラベル基材２を配送品Ｐに貼り付けるとともに、台紙３を半分に折り畳んでラベル基材２と配送品Ｐとの間の納品書収容部６に差し込む。
かくすれば、ラベル基材２とともに台紙３を同一の配送品Ｐに貼り付ける（取り付ける）ことができて、台紙３を破棄することなく活用可能であるとともに、台紙３における納品書の情報（内容明細）を隠蔽した状態で配送品Ｐに添付することができる。
【００１４】
しかしながら、実際の作業において、ラベル基材２および台紙３の取違いなどのミスから、ラベル基材２とラベル基材２に対応する台紙３とが同一の配送品Ｐに貼り付けられる（取り付けられる）とは限らないという問題がある。
このような問題を解消するために、ラベル基材２の内容と台紙３の内容明細とを確実に照合するための確認作業は手間と時間はもとより、必要以上の注意力を必要とするという問題がある。
【００１５】
さらに、上述のような配送伝票１のような構成に限らず、納品書を別の用紙に印字するようなシステムの場合には、配送品Ｐと内容明細とが異なるというトラブルがさらに発生しやすく、商品（配送品Ｐ）、届け先や内容明細の照合作業が必要で、同じく手間がかかるという問題があって、このようなミスの発生の防止、作業効率の改善の要望が上がっている。もちろん、納品書を台紙付きのラベル材料に印字するようなシステムの場合には、台紙がゴミとして発生するという問題がある。
【００１６】
また、配送品Ｐの送り先や送り主、あるいはその配送品Ｐの種類によっては、その内容明細をできる限り人目につかずに伏せた状態で配送する必要があるという問題がある。
たとえば、通信販売などにより購入した各種の商品を宅配便などにより配送する場合などにおいては、たとえば品数や種類が多い場合には、その内容明細を確実に表示しなければならい一方、個人のプライバシー保護の観点から商品発送の時点でその内容明細を極力隠しておく必要があるという問題がある。
【先行技術文献】
【特許文献】
【００１７】
【特許文献１】特開２００６−３９４２７号公報
【発明の概要】
【発明が解決しようとする課題】
【００１８】
本発明は以上のような諸問題にかんがみなされたもので、ゴミとして発生する台紙の量を減らし、有効に利用可能として、省資源に適した両面印字用ラベルおよびその貼付け方法を提供することを課題とする。
【００１９】
また本発明は、ラベル基材の印字内容と台紙の印字内容との照合作業を必要とせず、作業ミスが発生しにくい両面印字用ラベルおよびその貼付け方法を提供することを課題とする。
【００２０】
また本発明は、内容明細その他を隠蔽した状態で配送品などの被貼付け体に貼り付けることができる両面印字用ラベルおよびその貼付け方法を提供することを課題とする。
【００２１】
また本発明は、内容明細その他を隠蔽した状態で貼り付けてあっても、必要があればその確認を容易に行うことができる両面印字用ラベルおよびその貼付け方法を提供することを課題とする。
【課題を解決するための手段】
【００２２】
すなわち本発明は、互いに分離可能に貼り合わせた状態のラベル基材（表面側基材）および台紙（裏面側基材）のそれぞれに所定の情報を印字可能とするとともに、裏面側基材を配送品など被貼付け体に向けて貼り付け可能とし、表面側基材および裏面側基材それぞれに形成した切取り線を介して裏面側基材を被貼付け体から引きはがし可能とすることに着目したもので、第一の発明は、表面側基材および裏面側基材を有するラベル基材を有し、この表面側基材の表面側印字領域およびこの裏面側基材の裏面側印字領域にそれぞれ印字可能とするとともに、このラベル基材を被貼付け体に貼り付け可能とする両面印字用ラベルであって、前記ラベル基材は、前記表面側基材の裏面側に粘着剤層を形成するとともに、この粘着剤層に対向して前記裏面側基材の表面側に剥離剤層を形成し、前記表面側基材には、前記表面側基材の表面側周縁部に位置して前記表面側基材をその表面側中心領域と表面側周縁領域とに画成する表面側切取り線を形成し、前記裏面側基材には、前記裏面側基材の裏面側周縁部に位置して前記裏面側基材をその裏面側中心領域と裏面側周縁領域とに画成する裏面側切取り線を形成し、前記表面側切取り線は、前記裏面側切取り線に対して、前記ラベル基材の表裏面においてわずかに外周側に位置し、前記裏面側切取り線に沿って前記裏面側基材の前記裏面側周縁領域を前記裏面側中心領域から除去して、前記表面側基材における前記粘着剤層を露出可能とし、前記裏面側基材の前記裏面側中心領域を前記被貼付け体に向けて前記ラベル基材を前記被貼付け体に貼り付け可能としていることを特徴とする両面印字用ラベルである。
【００２３】
表面側基材および裏面側基材を有するラベル基材を有し、この表面側基材の表面側印字領域およびこの裏面側基材の裏面側印字領域にそれぞれ印字可能とするとともに、このラベル基材を被貼付け体に貼り付け可能とする両面印字用ラベルの貼付け方法であって、前記ラベル基材は、前記表面側基材の裏面側に粘着剤層を形成してあるとともに、この粘着剤層に対向して前記裏面側基材の表面側に剥離剤層を形成してあり、前記表面側基材に前記表面側基材の表面側周縁部に位置して前記表面側基材をその表面側中心領域と表面側周縁領域とに画成する表面側切取り線を形成してあり、前記裏面側基材に前記裏面側基材の裏面側周縁部に位置して前記裏面側基材をその裏面側中心領域と裏面側周縁領域とに画成する裏面側切取り線を形成してあり、前記表面側切取り線は、前記裏面側切取り線に対して、前記ラベル基材の表裏面においてわずかに外周側に位置し、前記裏面側切取り線に沿って前記裏面側基材の前記裏面側周縁領域を前記裏面側中心領域から除去して、前記表面側基材における前記粘着剤層を露出可能とし、前記裏面側基材の前記裏面側中心領域を前記被貼付け体に向けて前記ラベル基材を前記被貼付け体に貼り付けることを特徴とする両面印字用ラベルの貼付け方法である。
【００２４】
上記被貼付け体に向けて貼り付けた上記ラベル基材の上記裏面側中心領域は、上記表面側中心領域により隠蔽されているとともに、上記表面側中心領域とともに上記被貼付け体から引きはがし可能としていることができる。
【００２６】
上記表面側切取り線は、上記表面側基材の上記表面側周縁部を周回してこれを形成していることができる。
【００２７】
上記裏面側切取り線は、上記裏面側基材の上記裏面側周縁部を周回してこれを形成していることができる。
【００２８】
上記表面側基材の上記表面側中心領域には、上記被貼付け体に関する表示用の表示情報を印字可能としていることができる。
【００２９】
上記裏面側基材の上記裏面側中心領域には、上記被貼付け体に関する隠蔽用の隠蔽情報を印字可能としていることができる。
【００３０】
上記裏面側基材の上記裏面側中心領域の反対側の内方側中心領域には、上記裏面側中心領域の印字内容の位置を明示する案内情報を表示可能としていることができる。
【００３１】
上記表面側基材の上記表面側中心領域には、第１の印字領域、第２の印字領域および第３の印字領域を第１の切取り線および第２の切取り線を介して画成し、上記第１の印字領域および上記第３の印字領域の裏面側には上記粘着剤層を形成しているとともに、上記第１の印字領域および上記第３の印字領域に対向する上記裏面側基材の上記裏面側に上記剥離剤層を形成し、上記第２の印字領域には上記粘着剤層を形成していないことができる。
【００３２】
上記第２の印字領域に対向する上記裏面側基材の上記裏面側には上記剥離剤層を形成していないことができる。
【００３３】
上記第１の印字領域、上記第２の印字領域および上記第３の印字領域には、上記被貼付け体に関する情報を印字可能とし、上記第２の印字領域は、上記ラベル基材を上記被貼付け体に貼り付けてある状態において、上記第１の印字領域および上記第３の印字領域からこれを分離可能としてあることができる。
【００３４】
上記裏面側基材の上記裏面側中心領域の反対側の内方側中心領域には、上記裏面側中心領域の印字内容の位置を明示する案内情報を表示可能としているとともに、上記第２の印字領域は、この案内情報を被覆可能であることができる。
【００３５】
上記ラベル基材を上記被貼付け体に貼り付けてある状態において、上記裏面側基材の上記裏面側中心領域は、上記表面側基材とともに上記被貼付け体から引きはがし可能であることができる。
【００３６】
上記表面側基材の上記表面側印字領域および上記裏面側基材の上記裏面側印字領域への印字を行う方式としては、感熱発色方式あるいは熱転写方式その他任意の方式を採用可能である。
【発明の効果】
【００３７】
本発明による両面印字用ラベルおよびその貼付け方法においては、粘着剤層および剥離剤層を挟んで対向させた表面側基材および裏面側基材のそれぞれに印字可能とするとともに、それぞれの基材に切取り線（表面側切取り線、裏面側切取り線）を形成し、裏面側切取り線の部分で裏面側基材の一部を取り除いて粘着剤層を露出させて、配送品などの被貼付け体に貼り付け可能としたので、この貼り付けた状態から表面側切取り線の部分で表面側基材とともに裏面側基材を引きはがすことができる。
したがって、裏面側基材に印字した内容明細その他の隠蔽情報を隠蔽した状態で被貼付け体に貼り付けることができるとともに、必要に応じて裏面側基材を被貼付け体から引きはがすことによりこの隠蔽情報を確認することができる。
しかも、従来の台紙に相当する裏面側基材のごく一部のみをゴミとして破棄するだけであるので、省資源の観点からも望ましい。
さらに、配送品などに貼り付ける場合に、送り先や送り主の表示情報と、内容明細などの隠蔽情報とを同一のラベル基材の両面に印字することができるので、内容の照合作業を不要とし、効率よくかつ正確に貼付け作業を行うことができる。
【００３８】
とくに第一の発明の両面印字用ラベルによれば、ラベル基材の表裏面（表面側基材および裏面側基材）を情報印字に有効に活用することができるとともに、情報の一元管理が容易になり、表示情報と被貼付け体（配送品など）の中身さらには内容明細（隠蔽情報）が互いに異なるミスを防止可能である。
【００３９】
とくに第二の発明の両面印字用ラベルの貼付け方法によれば、裏面側基材に印字した隠蔽情報（内容明細など）を配送品などの被貼付け体側に向けて貼り付けることができるので、被貼付け体に貼り付けたラベル基材のうちその隠蔽情報を隠したままで被貼付け体に貼り付けることができ、裏面側基材を被貼付け体から引きはがすこともできるので、その中身を視認することも容易である。
【図面の簡単な説明】
【００４０】
【図１】本発明の実施例による両面印字用ラベル３０を配送伝票として用いる場合を示すものであり、図１（１）は、両面印字用ラベル３０の平面図、図１（２）は、両面印字用ラベル３０の裏面図である。
【図２】同、図１（１）のＩＩ−ＩＩ線断面図である。
【図３】同、裏面側基材３３の裏面側周縁領域４４を裏面側中心領域４３から除去した状態を示す裏面側基材３３側からみた斜視図である。
【図４】同、両面印字用ラベル３０を配送品Ｐに貼り付けた状態を示す一部切欠き斜視図である。
【図５】同、両面印字用ラベル３０を配送品Ｐに貼り付けた状態を示し、図５（１）は、平面図、図５（２）は、表面側基材３２の表面側中心領域３９から第２の印字領域４８を切り取った状態を示す平面図である。
【図６】従来からの、台紙を破棄することなく使用可能なラベル材料を両面印字可能な配送伝票１として利用する場合の一例を示すもので、図６（１）は、配送伝票１の平面図、図６（２）は、配送伝票１の裏面図である。
【図７】同、配送伝票１の両面（ラベル基材２および台紙３）に所定の情報を印字するための両面印字プリンター９（たとえばサーマルプリンター）の概略側面図である。
【図８】同、配送伝票１を配送品Ｐ（被貼付け体）に貼り付けた状態を示す要部斜視図である。
【発明を実施するための形態】
【００４１】
本発明は、粘着剤層および剥離剤層を介して貼り合わせた状態の表面側基材および裏面側基材それぞれに切取り線を形成して、粘着剤層の露出およびラベル基材の被貼付け体への貼付けを可能とするとともに、裏面側基材の被貼付け体からの引きはがしを可能としたので、裏面側基材に印字した隠蔽情報の隠蔽および必要時にその確認を可能とした両面印字用ラベルおよびその貼付け方法を実現した。
【実施例】
【００４２】
つぎに本発明の実施例による両面印字用ラベル３０およびその貼付け方法を図１ないし図５にもとづき説明する。ただし、図６ないし図８と同様の部分には同一符号を付し、その詳述はこれを省略する。
図１は、配送伝票として用いる場合の両面印字用ラベル３０を示すもので、図１（１）は、両面印字用ラベル３０の平面図、図１（２）は、両面印字用ラベル３０の裏面図、図２は、図１（１）のＩＩ−ＩＩ線断面図である。
両面印字用ラベル３０は、任意の上質紙あるいは合成紙などによるラベル基材３１を有し、このラベル基材３１を被貼付け体（たとえば配送品Ｐ、図４、図５）に貼り付け可能とするもので、ラベル基材３１は、その表裏面を形成する表面側基材３２および裏面側基材３３を有する。
【００４３】
表面側基材３２の露出表面部である表面側印字領域３４、および裏面側基材３３の露出表面部である裏面側印字領域３５には、それぞれ感熱発色剤層３６（図２）を塗布して、前述の両面印字プリンター９（図７）により任意の可変情報を印字可能としている。
なお、ラベル基材３１における表面側基材３２および裏面側基材３３としては、サーマル発色紙を採用することができるが、印字用のプリンターの印字方式に応じて、その他任意の印字用紙を採用することができる。
【００４４】
とくに図１に示すように、表面側基材３２には、表面側基材３２の表面側周縁部３７を周回してミシン目あるいは切り目その他任意の形態の表面側切取り線３８を形成し、表面側基材３２をその中心側に位置する四角形状（長方形状）の表面側中心領域３９と周縁部に位置する枠状の表面側周縁領域４０とに画成する。
なお表面側切取り線３８は、表面側周縁部３７を周回する必要はなく、表面側周縁部３７に位置して表面側周縁領域４０を形成することができるものであれば、弧状あるいは直線的なものであってもよい。
たとえば、表面側切取り線３８が、表面側周縁部３７において表面側中心領域３９の互いに対向する辺部に位置することにより、表面側中心領域３９の互いに対向する当該辺部に一対の表面側周縁領域４０を形成することもできる。
あるいは、表面側周縁部３７において表面側中心領域３９を囲むＵ字形ないしはコ字状に表面側周縁領域４０を形成するように、表面側切取り線３８を形成することもできる。
【００４５】
裏面側基材３３には、裏面側基材３３の裏面側周縁部４１を周回して切り目その他任意の形態の裏面側切取り線４２を形成し、裏面側基材３３をその中心側に位置するほぼ四角形状（隅部が弧状の長方形状）の裏面側中心領域４３と周縁部に位置する枠状の裏面側周縁領域４４とに画成する。
なお、上述した表面側切取り線３８の構成と同様に、裏面側切取り線４２は、裏面側周縁部４１を周回する必要はなく、裏面側周縁部４１に位置して裏面側周縁領域４４を形成することができるものであれば、弧状あるいは直線的なものであってもよい。
たとえば、裏面側切取り線４２が、裏面側周縁部４１において裏面側中心領域４３の互いに対向する辺部に位置することにより、裏面側中心領域４３の互いに対向する当該辺部に一対の裏面側周縁領域４４を形成することもできる。
あるいは、裏面側周縁部４１において裏面側中心領域４４を囲むＵ字形ないしはコ字状に裏面側周縁領域４４を形成するように、裏面側切取り線４２を形成することもできる。
いずれにしても、裏面側切取り線４２の部分で裏面側周縁領域４３を裏面側中心領域４３からはがすことにより、表面側基材３２の裏面側の粘着剤層４を、枠状に、あるいは対向する辺部に、あるいはＵ字形ないしはコ字状に露出可能とすることができる。
【００４６】
ただし、表面側切取り線３８は、裏面側切取り線４２に対して、ラベル基材３１の表裏面において同一線上あるいはわずかに外周側に位置している。
すなわち、表面側切取り線３８および裏面側切取り線４２が表裏面で同一線上にあれば、表面側基材３２および裏面側基材３３それぞれのへ形成にあたって技術的には比較的容易であるが、後述する表面側中心領域３９への粘着剤層４の形成（塗布）の誤差、ならびに表面側中心領域３９および裏面側中心領域４３の被貼付け体（配送品Ｐ）からの引きはがしの操作を考慮に入れると、表面側切取り線３８は、裏面側切取り線４２に対して、ラベル基材３１の表裏面においてわずかに外周側に位置していることが望ましい。
【００４７】
表面側基材３２の表面側中心領域３９には、ミシン目あるいは切り目その他任意の形態の第１の切取り線４５および第２の切取り線４６を介して、第１の印字領域４７、第２の印字領域４８および第３の印字領域４９を順に画成する。
【００４８】
とくに図２に示すように、第１の印字領域４７および第３の印字領域４９の裏面側には粘着剤層４を形成しているとともに、第１の印字領域４７および第３の印字領域４９に対向する裏面側基材３３の裏面側に剥離剤層７を形成している。
ただし、第２の印字領域４８の裏面側には粘着剤層４を形成していない。
なお、第２の印字領域４８に対向する裏面側基材３３の裏面側に剥離剤層７を形成しておくこともできるが、比較的高価な剥離剤を塗布する必要があるため、コスト低減のためには、第２の印字領域４８に対向する裏面側基材３３の裏面側には剥離剤層７を形成しないことが望ましい。
【００４９】
図１に戻って、表面側基材３２の表面側中心領域３９（第１の印字領域４７、第２の印字領域４８および第３の印字領域４９）には、被貼付け体（配送品Ｐ）に関する情報（表示用の表示情報５０）を印字可能としている。
具体的に、配送品Ｐに関する表示情報５０として、第１の印字領域４７には第１の固定情報５１（「送り状」、「品名」など）を、第２の印字領域４８には第２の固定情報５２（「受領証」など）を、第３の印字領域４９には第３の固定情報５３（「取扱注意」、「指定日」、「配達時間」、「現金・カード」など）をあらかじめ印刷し、さらに両面印字プリンター９（図７）を用いて感熱発色剤層３６に可変情報５４（具体的な送り先や品名、指定日、配達時間など）をそれぞれ随時印字可能とする。なお、とくに第３の固定情報５３において配送品Ｐに関連して関係のない事項については、×印や取消し線などをその上に印字することができる。
もちろん当該表示情報としては、本発明による両面印字用ラベル３０の配送伝票その他の使用形態、および配送品Ｐその他の被貼付け体に応じて任意の固定情報を印刷しておき、任意の可変情報を随時印字可能とするもので、配送品Ｐに貼り付ける場合には最低限、第１の印字領域４７（「送り状」、「品名」などの第１の固定情報５１）および第２の印字領域４８（「受領証」などの第２の固定情報５２）のみとし、第３の印字領域４９を設けなくてもよい。また、この場合、両面印字プリンター９における両面印字用ラベル３０の移送方向における下流側に第１の印字領域４７を位置させておけば、第２の印字領域４８の裏面側に粘着剤層４を形成していなくても、両面印字用ラベル３０の移送および印字に支障はない。
【００５０】
一方、裏面側基材３３の裏面側中心領域４３には、両面印字プリンター９（図７）を用いて感熱発色剤層３６に、被貼付け体（配送品Ｐ）に関する隠蔽用の隠蔽情報５５を印字可能としている。すなわち、この隠蔽情報５５としては、たとえば、「配達品の内容明細書」との表題、および具体的な品名や数量、さらには、必要な取扱注意事項などを印字する。
【００５１】
裏面側基材３３における裏面側中心領域４３の反対側の内方側中心領域５６には、第２の印字領域４８の裏面側に位置して、裏面側中心領域４３の印字内容（隠蔽情報５５）の位置を明示する案内情報５７をあらかじめ印刷して表示可能としているとともに、第２の印字領域４８は、表面側ないし上層側（表面側基材３２側）からこの案内情報５７を被覆可能である。
案内情報５７としては、たとえば、「裏面に内容明細書の記載があります。」、さらには、「送り状部分、取扱注意部分をはがして、下層側のシート（すなわち裏面側基材３３の裏面側印字領域３５の部分のこと）を取り出して下さい。」（図示せず）など、内方側中心領域５６を見た利用者（配送品Ｐを受け取った者）が内方側中心領域５６の裏側（裏面側基材３３の裏面側印字領域３５）に印字され隠蔽されている内容明細書の記載（隠蔽情報５５）があることを示している。
なお上記内方側中心領域５６には、任意の広告情報など（図示せず）を追加的に印字しておくこともできる。
【００５２】
しかして、第２の印字領域４８は、ラベル基材３１を配送品Ｐに貼り付けてある状態において、第１の切取り線４５および第２の切取り線４６の部分を切り取ることにより、第１の印字領域４７および第３の印字領域４９からこれを分離可能としてあって、上記案内情報５７を露出させて視認可能とする。
【００５３】
さらに、ラベル基材３１を配送品Ｐに貼り付けてある状態において、裏面側基材３３の裏面側中心領域４３は、表面側切取り線３８の部分において表面側基材３２の表面側中心領域３９（第１の印字領域４７、第２の印字領域４８および第３の印字領域４９）を取り除いた上で、あるいは、表面側切取り線３８および裏面側切取り線４２の部分において表面側基材３２とともに配送品Ｐから引きはがし可能である。
【００５４】
なおとくに図１に示すように、表面側基材３２の隅部（図中、左下方部の隅部）には、はがし始めの摘み部を示す三角形状の周縁領域はがし目印５８、および「ここから裏面をおはがし下さい。」などの案内文５９をあらかじめ印刷してあって、この周縁領域はがし目印５８の部分から表面側基材３２の表面側周縁領域４０および裏面側基材３３の裏面側周縁領域４４を互いに分離可能であることを示している。
また、同様にして、表面側基材３２の第１の印字領域４８および第２の印字領域４８の隅部（図１中、左下方部の隅部）にも、三角形状の第１のはがし目印６０および第２のはがし目印６１をあらかじめ印刷してある。
上記三角形状の周縁領域はがし目印５８、第１のはがし目印６０および第２のはがし目印６１を印刷した表面側基材３２の裏面側には、粘着剤非活性化剤を塗布して非粘着性とするか、あるいは再剥離性の粘着剤を塗布することにより、指先などではがしやすくしておくことができる。
【００５５】
こうした構成の両面印字用ラベル３０において、両面印字用ラベル３０は、表面側基材３２の裏面側に粘着剤層４を形成するとともに、この粘着剤層４に対向して裏面側基材３３の裏面側には剥離剤層７が位置しているので、裏面側基材３３の一部をはがすことにより、表面側基材３２の一部の粘着剤層４を露出可能とすることができる。
すなわち、図３は、裏面側基材３３の裏面側周縁領域４４を裏面側中心領域４３から除去した状態を示す裏面側基材３３側からみた斜視図であって、切り目などから形成したため容易に切り離し可能な裏面側切取り線４２に沿って裏面側基材３３の枠状の裏面側周縁領域４４を裏面側中心領域４３から除去して、表面側基材３２（表面側中心領域３９、表面側周縁領域４０）の表面側周縁領域４０における粘着剤層４を露出可能とすることができる。
【００５６】
図４は、両面印字用ラベル３０を配送品Ｐに貼り付けた状態を示す一部切欠き斜視図、図５は、両面印字用ラベル３０を配送品Ｐに貼り付けた状態を示し、図５（１）は、平面図、図５（２）は、表面側基材３２の表面側中心領域３９から第２の印字領域４８を切り取った状態を示す平面図である。
図４および図５に示すように、枠状の裏面側周縁領域４４に対向していた表面側周縁領域４０の裏面側における粘着剤層４の粘着力により、裏面側基材３３の裏面側中心領域４３を配送品Ｐに向けて表面側基材３２（表面側中心領域３９、表面側周縁領域４０）とともに配送品Ｐに貼り付ける。
配達人から配送品Ｐを受け取った受取人は、第２の固定情報５２の受領書の受領印を押印し、配達人は、第１の切取り線４５および第２の切取り線４６さらには互いに対向する表面側切取り線３８の部分で第２の印字領域４８を切り取って持ち帰る。
【００５７】
とくに図５（２）に示すように、第２の印字領域４８を切り取ることにより、第２の印字領域４８の下層部には案内情報５７（「裏面に内容明細書の記載があります。」）が現れ、受取人は、裏面側基材３３（裏面側中心領域４３）に内容明細書の記載があることを認識する。
したがって、受取人は、ラベル基材３１の表面側中心領域３９および裏面側中心領域４３を表面側切取り線３８および裏面側切取り線４２の部分で配送品Ｐから引きはがすことにより裏面側基材３３の隠蔽情報５５を見ることができる。
もちろん、表面側基材３２の第１の印字領域４７および第３の印字領域４９の部分を裏面側基材３３からはがした上で、裏面側基材３３の裏面側中心領域４３のみを取ることもできる。
このはがした第１の印字領域４７や第３の印字領域４９を配送品Ｐ（ないしは、その包装容器など）に再度貼ることもできるし、配送品Ｐの包装容器などを処分する際に個人情報として表示したくなければ、そのまま廃棄することもできる。
【００５８】
かくして、配送品Ｐに向けて貼り付けたラベル基材３１の裏面側中心領域４３は、表面側中心領域３９により隠蔽されているために、むやみに人目につくことはなく、必要に応じて表面側中心領域３９とともに（あるいは表面側中心領域３９を取り除いた上で）、配送品Ｐから引きはがして内容明細を確認することができる。
【００５９】
なお、本発明による両面印字用ラベルは、配送伝票のみならず、その表示および隠蔽する各種の情報に応じて任意のシステムに応用が可能である。
また、両面印字プリンター９（図７）などを使用することなく、すべての情報を固定情報としてあらかじめ印刷しておいて、その機能を発揮させることもできる。
【符号の説明】
【００６０】
１  配送伝票（従来、図６）
２  ラベル基材
３  台紙
４  粘着剤層
５  開口部
６  納品書収容部
７  剥離剤層
８  位置検出用マーク
９  両面印字プリンター（サーマルプリンター、図７）
１０  プリンターハウジング
１１  供給部
１２  位置検出部
１３  第１の印字部
１４  第２の印字部
１５  制御部
１６  供給口
１７  光学センサー
１８  第１のサーマルヘッド
１９  第１のプラテンローラー
２０  第２のサーマルヘッド
２１  第２のプラテンローラー
２２  切断用ミシン目
２３  切断部
２４  排出口
３０  両面印字用ラベル（実施例、図１）
３１  ラベル基材
３２  表面側基材
３３  裏面側基材
３４  表面側基材３２の表面側印字領域
３５  裏面側基材３３の裏面側印字領域
３６  感熱発色剤層（図２）
３７  表面側基材３２の表面側周縁部
３８  表面側切取り線（ミシン目）
３９  表面側基材３２の表面側中心領域
４０  表面側基材３２の表面側周縁領域
４１  裏面側基材３３の裏面側周縁部
４２  裏面側切取り線（切り目）
４３  裏面側基材３３の裏面側中心領域
４４  裏面側基材３３の裏面側周縁領域
４５  表面側中心領域３９に形成した第１の切取り線
４６  表面側中心領域３９に形成した第２の切取り線
４７  表面側中心領域３９の第１の印字領域
４８  表面側中心領域３９の第２の印字領域
４９  表面側中心領域３９の第３の印字領域
５０  表示情報（被貼付け体（配送品Ｐ）に関する表示用の情報）
５１  第１の印字領域４７への第１の固定情報
５２  第２の印字領域４８への第２の固定情報
５３  第３の印字領域４９への第３の固定情報
５４  表面側中心領域３９への可変情報
５５  裏面側中心領域４３への隠蔽情報（図１（２））
５６  裏面側基材３３における裏面側中心領域４３の反対側の内方側中心領域（図２）
５７  裏面側中心領域４３の反対側の内方側中心領域５６における案内情報（「裏面に内容明細書の記載があります。」）
５８  三角形状の周縁領域はがし目印
５９  案内文（「ここから裏面をおはがし下さい。」）
６０  三角形状の第１のはがし目印
６１  三角形状の第２のはがし目印
Ｐ    配送品（被貼付け体）
【図１】
0005848064.tif 000002
【図２】
0005848064.tif 000003
【図３】
0005848064.tif 000004
【図４】
0005848064.tif 000005
【図５】
0005848064.tif 000006
【図６】
0005848064.tif 000007
【図７】
0005848064.tif 000008
【図８】
0005848064.tif 000009